(57)【要約】      （修正有）【課題】複数の動作モードを専用スイッチ、専用表示を追加することなく、簡単に複数の動作モードを切り換える機能を追加すること。【解決手段】機器上面に載置された被加熱物３を加熱する加熱部４と、加熱部４の加熱動作を開始及び停止するための制御命令が割り当てられた加熱切／入のスイッチを含む操作部８と、加熱切／入のスイッチからの制御命令に基づいて加熱部４の動作を制御する制御部１２とを備え、制御部１２は、複数のスイッチの長押しで複数の動作モードを切り換えることにより、専用のスイッチを追加することなく、存在する加熱部４の動作を制御するスイッチを使うことで、簡単に複数の動作モードを切り換える機能を追加することができる。【選択図】図２
2012248397.tif 000002
【特許請求の範囲】
【請求項１】
機器上面に載置された被加熱物を加熱する加熱部と、前記加熱部の加熱動作を開始及び停止するための制御命令が割り当てられた加熱スイッチを含む操作部と、前記加熱スイッチからの制御命令に基づいて前記加熱部の動作を制御する制御部とを備え、前記制御部は、複数スイッチの長押しで複数の動作モードを切り換える誘導加熱調理機器。
【請求項２】
前記複数の動作モードの状態表示を、前記加熱部の動作を表示している部分に表示する表示部を有する請求項１に記載の誘導加熱調理機器。
【請求項３】
前記複数の動作モードを切り換えるための複数スイッチを押下時に、現在設定されている動作モードを所定時間だけ表示する表示部を有する請求項１または２に記載の誘導加熱調理機器。
【請求項４】
前記複数の動作モードを切り換えるための複数スイッチで、現在設定されている動作モードを別の動作モードへ切り換えた時に、変更後の動作モードを所定時間だけ表示する表示部を有する、請求項１〜３のいずれか１項に記載の誘導加熱調理機器。
【請求項５】
前記表示部に前記動作モードを表示している状態で、前記加熱部の加熱動作を開始すると、
前記表示部に前記加熱部の動作表示に戻す請求項１〜４のいずれか１項に記載の誘導加熱調理機器。
【請求項６】
前記加熱部の加熱動作を行っている時は、前記動作モードの切り換えを禁止する請求項１〜５のいずれか１項に記載の誘導加熱調理機器。
【請求項７】
前記複数の動作モードを、機器上方に設けられた換気扇を前記加熱スイッチと連動させて制御可能な連動モードと、前記加熱スイッチと連動させた前記換気扇の動作の制御を行わない非連動モードとした請求項１〜６のいずれか１項に記載の誘導加熱調理機器。
【発明の詳細な説明】
【技術分野】
【０００１】
本発明は一般家庭やレストラン及びオフィスなどで使用される誘導加熱調理機器に関するもので、特に、複数の動作モードを切り換え可能な誘導加熱調理機器に関する。
【背景技術】
【０００２】
従来、この種の誘導加熱調理機器は、換気扇と赤外線通信を行って、誘導加熱調理機器の動作と連動して換気扇の運転・停止を行う構成となっている（例えば、特許文献１参照）。
【先行技術文献】
【特許文献】
【０００３】
【特許文献１】特開２００９−２１８１０７号公報
【発明の概要】
【発明が解決しようとする課題】
【０００４】
しかしながら、前記従来の構成では、複数の動作モードである非連動モードと連動モードを切り換えるための専用（連動切／入）スイッチが必要で、操作部のスペースに余裕がない機種では専用スイッチを追加できないという課題を有していた。
【０００５】
また、複数の動作モードである非連動モードと連動モードを表示するための専用（連動切／入）表示が必要で、操作部のスペースに余裕がない機種では専用（連動切／入）表示を追加できないという課題を有していた。
【０００６】
本発明は、前記従来の課題を解決するもので、専用スイッチ、専用表示を追加することなく、すでに存在する加熱部の動作を制御するスイッチと表示を使うことで、簡単に複数の動作モードを切り換える機能を追加することができる誘導加熱調理機器を提供することを目的とする。
【課題を解決するための手段】
【０００７】
前記従来の課題を解決するために、本発明の誘導加熱調理機器は、機器上面に載置された被加熱物を加熱する加熱部と、前記加熱部の加熱動作を開始及び停止するための制御命令が割り当てられた加熱スイッチを含む操作部と、前記加熱スイッチからの制御命令に基づいて前記加熱部の動作を制御する制御部とを備え、前記制御部は、複数スイッチの長押しで複数の動作モードを切り換えるようにしたものである。
【０００８】
これによって、専用スイッチを追加することなく、存在する加熱部の動作を制御するスイッチを使うことで、簡単に複数の動作モードを切り換える機能を追加することができる。
【発明の効果】
【０００９】
本発明の誘導加熱調理機器は、専用スイッチ、専用表示を追加することなく、存在する加熱部の動作を制御するスイッチと表示を使うことで、簡単に複数の動作モードを切り換える機能を追加することができ、使い勝手を向上させることができる。
【図面の簡単な説明】
【００１０】
【図１】本発明の実施の形態１における換気扇の動作を制御可能な誘導加熱調理機器と通信を行う換気扇の外観図
【図２】本発明の実施の形態１における誘導加熱調理機器のブロック図
【図３】本発明の実施の形態１における誘導加熱調理機器の操作部を示す図
【図４】（ａ）本発明の実施の形態１における誘導加熱調理機器の連動モード中の表示部の状態を示す図（ｂ）本発明の実施の形態１における誘導加熱調理機器の非連動モード中の表示部の状態を示す図（ｃ）本発明の実施の形態１における誘導加熱調理機器のタイマーの残り時間を表示中の表示部の状態を示す図
【図５】本発明の実施の形態１における誘導加熱調理機器のフローチャート
【発明を実施するための形態】
【００１１】
第１の発明は、機器上面に載置された被加熱物を加熱する加熱部と、前記加熱部の加熱動作を開始及び停止するための制御命令が割り当てられた加熱スイッチを含む操作部と、前記加熱スイッチからの制御命令に基づいて前記加熱部の動作を制御する制御部とを備え、前記制御部は、複数スイッチの長押しで複数の動作モードを切り換えることにより、専用スイッチを追加することなく、存在する加熱部の動作を制御するスイッチを使うことで、簡単に複数の動作モードを切り換える機能を追加することができる。
【００１２】
第２の発明は、特に、第１の発明において、前記複数の動作モードの状態表示を、前記加熱部の動作を表示している部分に表示する表示部を有することにより、専用表示を追加することなく、存在する加熱部の動作を制御する表示を使うことにより、簡単に複数の動作モードを切り換える機能を追加することができる。
【００１３】
第３の発明は、特に、第１または第２の発明において、前記複数の動作モードを切り換えるための複数スイッチを押下時に、現在設定されている動作モードを所定時間だけ表示する表示部を有することにより、専用表示を追加することなく、存在する加熱部の動作を制御する表示を使うことで、簡単に複数の動作モードを切り換える機能を追加することができる。
【００１４】
第４の発明は、特に、第１〜３のいずれか１つの発明において、前記複数の動作モードを切り換えるための複数スイッチで、現在設定されている動作モードを別の動作モードへ切り換えた時に、変更後の動作モードを所定時間だけ表示する表示部を有することにより、専用表示を追加することなく、存在する加熱部の動作を制御する表示を使うことで、簡単に複数の動作モードを切り換える機能を追加することができる。
【００１５】
第５の発明は、特に、第１〜４のいずれか１つの発明において、前記表示部に前記動作モードを表示している状態で、前記加熱部の加熱動作を開始すると、前記表示部に前記加熱部の動作表示に戻すことにより、専用表示を追加することなく、存在する加熱部の動作を制御する表示を使うことで、簡単に複数の動作モードを切り換える機能を追加することができる。
【００１６】
第６の発明は、特に、第１〜５のいずれか１つの発明において、前記加熱部の加熱動作を行っている時は、前記動作モードの切り換えを禁止することにより、専用のスイッチを追加することなく、存在する加熱部の動作を制御するスイッチを使うことで、簡単に複数の動作モードを切り換える機能を追加することができる。
【００１７】
第７の発明は、特に、第１から〜６のいずれか１つの発明において、前記複数の動作モードを、機器上方に設けられた換気扇を前記加熱スイッチと連動させて制御可能な連動モードと、前記加熱スイッチと連動させた前記換気扇の動作の制御を行わない非連動モードとしたことにより、専用スイッチ、専用表示を追加することなく、存在する加熱部の動作を制御するスイッチと表示を使うことで、簡単に連動モードと非連動モードとを切り換える機能を追加することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における換気扇の動作を制御可能な誘導加熱調理機器と通信を行う換気扇の外観図である。
【００２０】
図１において、誘導加熱調理機器１の上部にトッププレート２が設けられている。トッププレート２には誘導加熱により鍋などの調理容器３を加熱する第１の加熱部４および第２の加熱部５および第３の加熱部６と赤外線信号を送信する送信部９が設けられている。さらに、魚等を焼くグリル７、および熱源の操作をする操作部８が誘導加熱調理機器１の外郭ケースの側面に設けられている。
【００２１】
この誘導加熱調理機器１の上方に配置された換気装置３０はレンジフード３１と換気扇３２、赤外線信号を受信する受信部３３、換気扇操作部３４からなる。
【００２２】
誘導加熱調理機器１の送信部９から赤外線信号を換気装置３０の受信部３３に照射する赤外線通信を行うことによって、換気扇３２の動作を制御する。
【００２３】
図２は、本発明の第１の実施の形態における誘導加熱調理機器１のブロック図である。
【００２４】
図２において、加熱部４〜６はトッププレート２の下方に誘導加熱コイル１０が設けられている。さらに、誘導加熱コイル１０の下方には誘導加熱コイル１０を制御するインバータ１１とインバータ１１を動作させるための制御部１２が設けられている。
【００２５】
操作部８により、出力設定値が設定されると、制御部１２は誘導加熱コイル１０に高周波電流を供給し、かつ加熱出力が出力設定値となるようにインバータ１１の加熱動作を制御し、加熱容器３を加熱する。
【００２６】
また、制御部１２は、操作部８の操作と表示、送信部９の赤外線信号の出力などを制御する。
【００２７】
図３は、本発明の第１の実施の形態における誘導加熱調理機器１の操作部８を示す。
図３において、操作部８は表示部１３とスイッチ１４ａ、スイッチ１４ｂ、スイッチ１４ｃ、スイッチ１４ｄ、スイッチ１４ｅで構成されている。
【００２８】
スイッチ１４ａは加熱の開始及び停止を指示する制御命令が割り当てられた加熱切／入スイッチである。スイッチ１４ｂ、スイッチ１４ｃは、火力を上げ下げする制御命令が割り当てられた火力設定スイッチである。スイッチ１４ｄ、スイッチ１４ｅは、タイマーを設定する制御命令が割り当てられたタイマースイッチである。
【００２９】
表示部１３には、火力の大きさを表示する火力設定表示１３ａとタイマーの残り時間を表示するタイマー表示１３ｂがある。
【００３０】
本実施の形態の誘導加熱調理機器は、誘導加熱調理機器１の動作と連動して換気扇３２の動作を制御する連動モード（「換気扇連動機能」が「入」の状態）と、換気扇３２の動作を誘導加熱調理機器１の動作と連動させない非連動モード（「換気扇連動機能」が「切」の状態）とを、動作モードとして備えている。
【００３１】
具体的に、連動モードとは、誘導加熱調理機器１の加熱動作の開始及び停止に合わせて、換気扇３２のオン・オフを自動的に行う動作モードである。非連動モードとは、誘導加熱調理機器１の加熱動作の開始及び停止に合わせて、換気扇３２のオン・オフを自動的に行わない動作モードである。
【００３２】
本実施の形態の誘導加熱調理機器は、使用者が、この連動モードと非連動モードとを切り換えることができるようにしている。
【００３３】
連動モードと非連動モードとを切り換えるための制御命令は、スイッチ１４ｂとスイッチ１４ｃを同時に所定時間（本実施の形態では３秒）だけ長押しで設定する。
【００３４】
連動モード中に、スイッチ１４ｂとスイッチ１４ｃを同時に所定時間だけ長押しされると非連動モードに移行し、非連動モード中に、スイッチ１４ｂとスイッチ１４ｃを同時に所定時間だけ長押しされると連動モードに移行する。
【００３５】
図４（ａ）（ｂ）（ｃ）に表示部１３の表示の具体例を示す。図４（ａ）は連動モード中の表示部の状態を示し、図４（ｂ）は非連動モード中の表示部の状態を示している。図４（ｃ）はタイマーの残り時間を表示中の表示部の状態を示している。
【００３６】
以上のように構成された誘導加熱調理機器について、以下、図５を用いて、動作、作用を説明する。
【００３７】
図５は、本発明の第１の実施の形態における誘導加熱調理機器の連動モードと非連動モードとを切り換える動作のフローチャートである。
【００３８】
図５において、ステップ１にて、表示部１３に現在の誘導加熱調理機器１の動作状態を表示する。例えば、タイマーの残り時間があれば図４（ｃ）の表示となる。
【００３９】
次に、ステップ２にて、連動モードと非連動モードとを切り換えるためのスイッチが
オン（本実施の形態ではスイッチ１４ｂとスイッチ１４ｃを同時にオン）されたかどうかを判断し、スイッチがオンの場合、ステップ３に移行する。
【００４０】
ステップ３（Ｓ３）にて、現在の誘導加熱調理機器１の動作状態を表示している場所に、現在の設定モードを表示する。例えば、現在の設定モードが連動モードの場合は、タイマーの残り時間表示（図４（ｃ）参照）から、誘導加熱調理機器１の動作状態表示で使用しない表示を行う（図４（ａ）参照）。また、現在の設定モードが非連動モードの場合は、図４（ｂ）の表示を行う。
【００４１】
次に、ステップ４（Ｓ４）、５（Ｓ５）にて、連動モードと非連動モードとを切り換えるためのスイッチ（本実施の形態ではスイッチ１４ｂとスイッチ１４ｃを同時にオン）の確定を行う。
【００４２】
ステップ４にて、連動モードと非連動モードとを切り換えるためのスイッチがオンを継続している場合、ステップ５に移行する。
【００４３】
ステップ５では第一の所定時間（本実施の形態では３秒）が経過しているかどうかを判断し、第一の所定時間が経過した場合、ステップ６（Ｓ６）へ移行する。
【００４４】
ステップ４にて、第一の所定時間が経過するまでに連動モードと非連動モードとを切り換えるためのスイッチがオフなった場合、ステップ１１へ移行する。ステップ１１にて、
第一の所定時間が経過した場合、ステップ１０へ移行し、現在の設定モードの表示から現在の誘導加熱調理機器１の動作状態の表示に戻す。
【００４５】
以上より、ステップ４、５にて、連動モードと非連動モードとを切り換えるためのスイッチ（本実施の形態ではスイッチ１４ｂとスイッチ１４ｃを同時にオン）が確定されると、ステップ６にて、現在の設定モードを切り換えて、ステップ７（Ｓ７）にて、変更後の設定モードの表示を行う。
【００４６】
例えば、現在の設定モードが連動モードの場合は、連動モードの表示（図４（ａ）参照）から、非連動モードの表示を行う（図４（ｂ）参照）。また、現在の設定モードが非連動モードの場合は、非連動モードの表示（図４（ｂ）参照）から、連動モードの表示を行う（図４（ａ）参照）。
【００４７】
次に、ステップ８（Ｓ８）にて、誘導加熱調理機器１の動作を行うスイッチがオンされているかどうかを判断し、オンではない場合は、ステップ９（Ｓ９）に移行する。
【００４８】
ステップ９では第二の所定時間（本実施の形態では３秒）が経過しているかどうかを判断し、第二の所定時間が経過した場合、ステップ１０（Ｓ１０）へ移行する。
【００４９】
ステップ１０にて、変更後の設定モードの表示から現在の誘導加熱調理機器１の動作状態の表示に戻す。
【００５０】
ステップ８にて、第二の所定時間が経過するまでに誘導加熱調理機器１の動作を行うスイッチがオンされた場合、ステップ１０へ移行し、変更後の設定モードの表示から現在の誘導加熱調理機器１の動作状態の表示に戻す。
【００５１】
以上より、現在の設定モードを確認したい場合、連動モードと非連動モードとを切り換えるためのスイッチをオンすると現在の設定モードを第一の所定時間だけ表示することができるので、専用表示を追加することなく、存在する加熱部の動作を制御する表示を使うことで簡単に非連動モードと連動モードを切り換える機能を追加することができる。
【００５２】
また、現在の設定モード（連動モード／非連動モード）を切り換えると変更後の設定モードを第二の所定時間だけ表示することができるので、専用表示を追加することなく、存在する加熱部の動作を制御する表示を使うことで簡単に非連動モードと連動モードを切り換える機能を追加することができる。
【００５３】
なお、本実施の形態において、連動モードと非連動モードの表示をタイマー表示１３ｂで区別したが、火力設定表示１３ａで区別しても良い。例えば、連動モードは、火力設定表示１３ａの「弱」と「強」を点灯表示させ、非連動モードは「中」と「強」を点灯表示させる。いずれも、誘導加熱調理機器１の動作状態表示で使用しない表示である。
【００５４】
なお、本実施の形態において、連動モードと非連動モードの切り換えは複数スイッチの同時押しとしたが、スイッチを１つにしても良い。
【００５５】
なお、前記加熱部の加熱動作を行っている時は、前記動作モードの切り換えを禁止することにより、誤操作防止となり使い勝手が良くなる。
【００５６】
なお、本実施の形態において、２つの動作モードを換気連動の連動モードと非連動モードとしたが、別の複数の動作モードとしても良い。例えば、音声の音量切り換えで、「音量大モード」、「音量中モード」、「音量小モード」の３つの動作モードにする。また、
調理メニューの切り換えで、「揚げ物モード」、「湯沸しモード」、「焼き物モード」の３つの動作モードにする。
【産業上の利用可能性】
【００５７】
以上のように、本発明にかかる誘導加熱調理機器は、専用のスイッチ、専用表示を追加することなく、存在する加熱部の動作を制御するスイッチと表示を使うことで、簡単に複数の動作モードを切り換える機能を追加することができ、使い勝手を向上させることができ、一般家庭やレストラン及びオフィスなどで使用される加熱調理器等の用途にも適用できる。
【符号の説明】
【００５８】
１  誘導加熱調理機器
２  トッププレート
４、５、６  加熱部
８  操作部
９  送信部
１０  誘導加熱コイル
１１  インバータ
１２  制御部
１３  表示部
１３ａ  火力設定表示
１３ｂ  タイマー表示
１４、１４ａ、１４ｂ、１４ｃ、１４ｄ、１４ｅ  スイッチ
３０  換気装置
３１  レンジフード
３２  換気扇
３３  受信部
３４  換気扇操作部
【図２】
2012248397.tif 000003
【図５】
2012248397.tif 000004
【図１】
2012248397.tif 000005
【図３】
2012248397.tif 000006
【図４】
2012248397.tif 000007